【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
ブックブロック用搬送装置と、外周を前記ブックブロックの背に押し付けてその際に接着剤膜を塗布する、モータで駆動される接着剤塗布ローラとを有し、前記接着剤塗布ローラが、前記ブックブロックの速度を目標値としてこれに合わせて大きい速度または小さい速度で駆動される、ブックブロックの背に接着剤を機械的に塗布する装置において、
前記ブックブロック（１）を、それが搬送装置（２）内の表紙後縁部（７）に位置合わせされた状態で、前記ブックブロック（１）の高さに固定されている接着剤塗布ローラ（５）へ搬送可能であり、
前記接着剤塗布ローラの速度は、前記接着剤塗布ローラが、前記表紙後縁部（７）に対して所定の距離の位置から始まって、前記接着剤膜を塗布するために大きな平均回転速度で駆動され、また前記ブックブロック（１）の背から退避するために小さい平均回転速度で駆動されるように、駆動装置（８、９、１０、１１）によって制御可能であることを特徴とする、ブックブロックの背に接着剤を機械的に塗布する装置。
【請求項２】
前記接着剤塗布ローラ（５）が、パラメータ組を切り替えることにより、大きい回転速度または小さい回転速度で、周波数制御される駆動装置（８、９、１０、１１）によって所定の機械回転の角度範囲内において駆動可能である、請求項１に記載の装置。
【請求項３】
前記接着剤塗布ローラ（５）が、前記ブックブロック（１）の最大サイズにおける前縁部の前方の所定の距離の位置から始まって、大きな回転速度で駆動可能である、請求項１または２に記載の装置。
【請求項４】
前記接着剤塗布ローラ（５）が、ジョグ値、すなわち無負荷運転によって制御可能である請求項１〜３のいずれか１項に記載の装置。
【手続補正２】
【補正対象書類名】明細書
【補正対象項目名】０００１
【補正方法】変更
【補正の内容】
【０００１】
【発明の属する技術分野】
本発明は、ブックブロック用搬送装置と、外周をブックブロックの背に押し付けてその際に接着剤膜を塗布する、モータで駆動される接着剤塗布ローラとを備え、この接着剤塗布ローラが、ブックブロックの速度を目標値としてこれに合わせて大きい速度または小さい速度で駆動されるようになっている、ブックブロックの背に接着剤を機械的に塗布する装置に関する。
【手続補正３】
【補正対象書類名】明細書
【補正対象項目名】０００２
【補正方法】変更
【補正の内容】
【０００２】
【従来の技術】
工業化された製本において、寒冷紗貼り工程・背紙貼り工程・ヘッドバンド貼り工程のためのブックブロック背部への糊付けに際し、ブックブロック背部に適合した輪郭を有する一定断面形状のローラが使用される。
【手続補正４】
【補正対象書類名】明細書
【補正対象項目名】０００３
【補正方法】変更
【補正の内容】
【０００３】
公知の塗布装置は、一定断面形状の塗布ローラから構成されており、この塗布ローラは、糊容器内で回転する浸漬ローラと接触状態にあるとともに、ブックブロック背部に押圧されることにより糊膜を転写するようになっている。この場合、塗布ローラは、搬送装置内で背を上方に向けて搬送されるブックブロックにタイミングを合わせ、ブックブロックの背に対して往復運動することが可能となっている。
【手続補正５】
【補正対象書類名】明細書
【補正対象項目名】０００４
【補正方法】変更
【補正の内容】
【０００４】
一定断面形状のローラの使用に際しては、ブックブロックの背の輪郭に正確に適合していない限り、その一定断面形状のローラを当接させるときに全面に糊付けを行うことができない。
【手続補正６】
【補正対象書類名】明細書
【補正対象項目名】０００６
【補正方法】変更
【補正の内容】
【０００６】
このように表面へ完全に付着しない糊付けが行われることを回避するため、欧州特許第０１８９５８０号には、ブックブロック搬送速度に対して大きい平均回転速度で駆動される、ブックブロックの背に当接する塗布ローラが提案されている。この場合、速度を１０〜２０％高めることにより、最適な糊付けが行われるようになっている。同時に、ブックブロックの背に対して塗布ローラの周速をより高速にすることによって、小口面が糊で汚れることを防ぐようにしている。
【手続補正７】
【補正対象書類名】明細書
【補正対象項目名】０００９
【補正方法】変更
【補正の内容】
【０００９】
【課題を解決するための手段】
本発明の目的は、ブックブロックを、それが搬送装置内の表紙後縁部に位置合わせされた状態で、ブックブロックの高さに固定されている接着剤塗布ローラへ搬送可能であり、この接着剤塗布ローラの速度は、接着剤塗布ローラが表紙後縁部に対して所定の距離の位置から始まって、接着剤膜を塗布するために、大きな平均回転速度で駆動され、またブックブロックの背から退避するために、小さい平均回転速度で駆動されるように、駆動装置により制御可能である構成により達成される。
【手続補正８】
【補正対象書類名】明細書
【補正対象項目名】００１０
【補正方法】変更
【補正の内容】
【００１０】
本発明により達成される技術的な進歩は、パラメータ組によって切替え可能な、周波数制御される、接着剤塗布装置用の独特の駆動装置を、ブックブロックの高さに固定して配置されている接着剤塗布ローラに関連して用いることによって、駆動部材の寸法が小さくて済み、判型調節装置を必要としない、簡単で経済的な構造が達成されることである。
【手続補正９】
【補正対象書類名】明細書
【補正対象項目名】００１３
【補正方法】変更
【補正の内容】
【００１３】
糊塗布ローラ５は、ブックブロックの背の輪郭線に適合した一定断面形状のローラとして形成されており、そしてブックブロック１の様々な背形状にできるだけ広く適合させるため、例えばゴムのような弾性材料から形成されている。糊塗布ローラ５および浸漬ローラ４は、回転方向が互いに反対となっており、糊塗布ローラ５が浸漬ローラ４上をかき取る作用をする程度の、変更可能なほんの少しの間隔だけ互いに離れている。
【手続補正１０】
【補正対象書類名】明細書
【補正対象項目名】００１７
【補正方法】変更
【補正の内容】
【００１７】
６０サイクル／秒の場合には、１０Ｖの目標最大電圧が周波数変換器１０に送られる。糊付けユニット用の駆動モータ１１は、予め設定された特性曲線により、最大８０Ｈｚないし最大６０Ｈｚで駆動され得る。パラメータ組ａに対する特性曲線は、糊塗布ローラ５が駆動モータ１１によってブックブロック搬送チェーン２を超える平均速度で駆動されるように選択される。
【手続補正１１】
【補正対象書類名】明細書
【補正対象項目名】００１８
【補正方法】変更
【補正の内容】
【００１８】
パラメータ組ａは、機械回転角度５０〜１８０°で運転され、ブックブロック１の最大サイズに適合するブックブロック１前縁の前方約１０〜２０ｍｍから、ブックブロック１後縁の後方約４０〜５０ｍｍまでの範囲に対応する。
【手続補正１２】
【補正対象書類名】明細書
【補正対象項目名】００１９
【補正方法】変更
【補正の内容】
【００１９】
パラメータ組ａをパラメータ組ｂに切り替えることにより、駆動モータ１１は、最大６０Ｈｚに過ぎない駆動となり、これにより、糊塗布ローラ５は、ブックブロック搬送チェーン２に比べて小さい平均速度で回転する。
【手続補正１３】
【補正対象書類名】明細書
【補正対象項目名】００２１
【補正方法】変更
【補正の内容】
【００２１】
このパルス信号により、記憶装置，プログラム制御装置１４（ＳＰＳ）に以下のことが設定される。すなわち、無負荷運転（ジョグ値）用に任意に選択されて予め設定された周波数によって、どの時点で駆動モータ１１が糊付けユニットのために駆動されるか、そしてまた、この予め設定された周波数によって駆動モータ１１がどの時点でパラメータ組ａ等に切り替えられるかなどが設定される。